(57)【要約】  運転状態に応じて目標駆動力を設定し、目標駆動力を実現するよう駆動源の出力と無段変速機の変速比とを制御する駆動力制御を行う車両の制御装置であって、駆動源により駆動可能な発電機を備え、通常変速モードのとき、発電機の発電状態に基づいて駆動力制御を補正し、駆動源の回転速度変化を優先するリニア変速モードのとき、駆動力制御の補正を行わない。
2016013124.tif 000002
【特許請求の範囲】
【請求項１】
運転状態に応じて目標駆動力を設定し、前記目標駆動力を実現するよう駆動源の出力と無段変速機の変速比とを制御する駆動力制御を行う車両の制御装置であって、
前記駆動源により駆動可能な発電機を備え、
通常変速モードのとき、前記発電機の発電状態に基づいて前記駆動力制御を補正し、前記駆動源の回転速度変化を優先するリニア変速モードのとき、前記駆動力制御の補正を行わない、
車両の制御装置。
【請求項２】
請求項１に記載の車両の制御装置であって、
前記リニア変速モードは、運転者の加速要求に基づいて実行するかどうか切り替えられる、
車両の制御装置。
【請求項３】
請求項１または２に記載の車両の制御装置であって、
前記リニア変速モードの場合には、前記発電状態に基づく前記駆動力制御の補正をキャンセルする補正を行う、
車両の制御装置。
【請求項４】
請求項３に記載の車両の制御装置であって、
前記リニア変速モードの場合に、アクセル開度に基づいてアップシフト回転速度を設定し、アップシフト回転速度に基づいてアップシフト出力を設定し、前記発電状態に基づく前記駆動力制御の補正をキャンセルする補正を前記アップシフト出力に行う、
車両の制御装置。
【請求項５】
請求項３に記載の車両の制御装置であって、
前記目標駆動力は、前記リニア変速モードで前記無段変速機をアップシフトする時に、前記補正されたアップシフト出力に基づいてステップ的に低減するように設定される、
車両の制御装置。
【請求項６】
運転状態に応じて目標駆動力を設定し、前記目標駆動力を実現するよう駆動源の出力と無段変速機の変速比とを制御する駆動力制御を行う車両の制御方法であって、
通常変速モードのとき、前記駆動源により駆動可能な発電機の発電状態に基づいて前記駆動力制御を補正し、
前記駆動源の回転速度変化を優先するリニア変速モードのとき、前記駆動力制御の補正を行わない、
車両の制御方法。
【発明の詳細な説明】
【技術分野】
【０００１】
本発明は車両の制御装置、及びその制御方法に関するものである。
【背景技術】
【０００２】
無段変速機を制御する制御装置において、通常変速モードに加えて、有段変速機のような変速を無段変速機で行うリニア変速モードを有するものが、ＪＰ２０１０−７７４９Ａに開示されている。リニア変速モードでは、エンジン回転速度がアップシフト判定回転速度となるとアップシフトが行われる。
【発明の概要】
【０００３】
上記技術では、リニア変速モードのアップシフトでは、アップシフト先のエンジン回転速度が設定されており、エンジン回転速度がアップシフト判定回転速度となると、エンジン回転速度がアップシフト先のエンジン回転速度となるようにエンジンが制御される。
【０００４】
また、無段変速機を有する車両において、車両の運転状態に応じて目標駆動力を設定し、目標駆動力に基づいて目標エンジン回転速度、および目標エンジントルクを設定する制御装置が知られている。このような車両では、目標エンジン回転速度に対応した目標入力回転速度となるように無段変速機が制御され、目標エンジントルクとなるようにエンジンが制御される。
【０００５】
このような車両において、リニア変速モードでアップシフトを実現する際には、アップシフト先のエンジン回転速度が一旦設定され、設定されたエンジン回転速度を実現する目標駆動力が設定される。そして、この目標駆動力に基づいて、目標エンジン回転速度、および目標エンジントルクを設定し、無段変速機、及びエンジンを制御することで、無段変速機において有段変速機のような変速を行う。
【０００６】
車両は、エンジンによって駆動可能な発電機を有し、発電機によって発電した電力を蓄電池に充電可能となっている。エンジンによって発電機を駆動し、発電を行う場合、蓄電池の蓄電状態に応じて目標エンジン回転速度が変更される。
【０００７】
リニア変速モードを実行可能な制御装置を搭載した車両において、蓄電池の蓄電状態に応じて目標エンジン回転速度が変更されると、エンジン回転速度が、リニア変速モードにおけるアップシフト先のエンジン回転速度からずれるおそれがある。つまり、リニア変速モードでアップシフトを行う場合に、蓄電池の蓄電状態に応じてエンジン回転速度がアップシフト先のエンジン回転速度からずれ、このずれが運転者に違和感を与えるおそれがある。
【０００８】
本発明はこのような問題点を解決するために発明されたもので、リニア変速モードでアップシフトを行う場合に、蓄電池の蓄電状態に応じてエンジン回転速度が変化することを抑制することを目的とする。
【０００９】
本発明のある態様に係る車両の制御装置は、運転状態に応じて目標駆動力を設定し、目標駆動力を実現するように駆動源の出力と無段変速機の変速比とを制御する駆動力制御を行う車両の制御装置であって、駆動源により駆動可能な発電機を備え、通常変速モードのとき、発電機の発電状態に基づいて駆動力制御を補正し、駆動源の回転速度変化を優先するリニア変速モードのとき、駆動力制御の補正を行わない。
【図面の簡単な説明】
【００１０】
【図１】図１は本実施形態の車両の概略構成図である。
【図２】図２は本実施形態の目標変速比、目標エンジントルクの設定方法を説明する制御ブロック図である。
【図３】図３はＳＯＣとＳＯＣ補正量との関係を示すマップである。
【図４】図４は最適燃費線を示すマップである。
【図５】図５は目標駆動力設定部を示す制御ブロック図である。
【図６】図６はアップシフト出力部を示す制御ブロック図である。
【図７】図７はリニア変速モードにおけるエンジン回転速度の変化を示す図である。
【発明を実施するための形態】
【００１１】
以下、添付図面を参照しながら本発明の実施形態について説明する。
【００１２】
図１を参照すると、車両のエンジン１の出力はトルクコンバータ１１を介して無段変速機１２に入力される。無段変速機１２はプライマリプーリ１３とセカンダリプーリ１４と、これらに掛け回されたＶベルト１５とを備える。プライマリプーリ１３は油圧Ｐｐｒｉに応じて溝幅を変化させることで、Ｖベルト１５との接触半径を変化させる。セカンダリプーリ１４は油圧Ｐｓｅｃに応じて溝幅を変化させることで、Ｖベルト１５との接触半径を変化させる。結果として、無段変速機１２は油圧Ｐｐｒｉと油圧Ｐｓｅｃの制御に応じて、入力回転速度と出力回転速度の比、すなわち変速比を無段階に変化させる。油圧Ｐｐｒｉと油圧Ｐｓｅｃは油圧供給装置１６により生成される。
【００１３】
セカンダリプーリ１４はファイナルギア１８とディファレンシャル１９を介して駆動輪に結合する。
【００１４】
エンジン１は吸気量を調整する吸気スロットル装置３を備える。吸気スロットル装置３は、エンジン１の吸気通路２に設けた吸気スロットル４と、吸気スロットル４の開度を入力信号に応じて変化させる電動モータ５を備える。
【００１５】
エンジン１には、クラッチなどを用いて発電機８が断接可能となっている。蓄電池９の蓄電状態（以下、ＳＯＣ（Ｓｔａｔｅ  Ｏｆ  Ｃｈａｒｇｅ）と言う。）が少なくなるとクラッチが締結され、エンジン１によって発電機８が駆動され、発電機８は発電する。ＳＯＣは、蓄電池９の蓄電量、または蓄電池９の蓄電率である。発電機８によって生じた電力は、蓄電池９に充電される。蓄電池９は、電動モータ５などに電力を供給する。
【００１６】
油圧供給装置１６と吸気スロットル装置３はコントローラ２１が出力する指令信号に応じて作動する。
【００１７】
コントローラ２１は中央演算装置（ＣＰＵ）、読み出し専用メモリ（ＲＯＭ）、ランダムアクセスメモリ（ＲＡＭ）および入出力インタフェース（Ｉ／Ｏ  インタフェース）を備えたマイクロコンピュータで構成される。コントローラ２１を複数のマイクロコンピュータで構成することも可能である。
【００１８】
コントローラ２１には吸気スロットル４のスロットル開度を検出するスロットル開度センサ６、車両が備えるアクセルペダル７のアクセル開度を検出するアクセル開度センサ２２、エンジン１の回転速度を検出するエンジン回転速度センサ２３、プライマリプーリ回転速度を検出するプライマリプーリ回転速度センサ２４、車両の走行速度を検出する車速センサ２６、及び蓄電池９のＳＯＣを検出する電流センサ２７からの検出信号が入力される。
【００１９】
コントローラ２１はこれらの検出信号に応じて、吸気スロットル４の開度制御と、油圧供給装置１６を介した無段変速機１２の変速制御とを行うことで、車両の駆動力を制御する。
【００２０】
コントローラ２１は、運転者の加速要求に応じて、通常変速モードと、リニア変速モードとを切り替えてエンジン１、及び無段変速機１２を制御する。通常変速モードは、運転者の加速要求がない場合、または加速要求が小さい場合に実行される制御モードである。リニア変速モードは、運転者の加速要求が大きい場合に実行される制御モードであり、エンジン１の回転速度変化を優先する制御モードである。リニア変速モードでは、エンジン回転速度の漸増、及び急減が繰り返し行われながら、車速が増大するように無段変速機１２の変速比が段階的に変更され、無段変速機１２において疑似有段変速が実行される。
【００２１】
次に本実施形態の目標変速比、目標エンジントルクの設定方法について図２の制御ブロック図を用いて説明する。以下で説明する制御は、コントローラ２１によって実行される。
【００２２】
目標駆動力設定部３０は、詳しくは後述するが、車速、アクセル開度、目標エンジン回転速度に基づいて目標駆動力を設定する。
【００２３】
目標出力設定部３１は、目標駆動力と、車速センサ２６によって検出した現在の車速とに基づいて目標出力を設定する。
【００２４】
第１補正部３２は、目標出力をＳＯＣ補正量によって補正し、最終目標出力を設定する。具体的には、第１補正部３２は、目標出力にＳＯＣ補正量を加算する。ＳＯＣ補正量は、発電機８の発電状態に基づいて算出され、具体的には、電流センサ２７からの信号に基づいて算出されるＳＯＣに基づいて、図３に示すマップから算出される。図３は、ＳＯＣとＳＯＣ補正量との関係を示すマップであり、ＳＯＣが低くなるとＳＯＣ補正量は大きくなる。なお、第１補正部３２において、目標出力がＳＯＣ補正量によって補正されることで、後述する目標エンジン回転速度も補正される。
【００２５】
目標エンジン回転速度設定部３３は、目標出力に基づいてマップから目標エンジン回転速度を設定する。ここで使用されるマップは、図４の最適燃費線を示すマップに基づいて作成されており、目標出力に基づいてエンジン１の燃費が良い目標エンジン回転速度が設定される。
【００２６】
目標出力回転速度演算部３４は、車速センサ２６によって検出した車速に基づいてセカンダリプーリ回転速度を算出する。
【００２７】
目標変速比設定部３５は、目標エンジン回転速度をセカンダリプーリ回転速度で除算することで、目標変速比を設定する。
【００２８】
目標エンジントルク設定部３６は、目標駆動力と駆動輪の半径とを乗算し、乗算した値を目標変速比とファイナルギア比とで除算することで目標エンジントルクを設定する。
【００２９】
このようにして設定された目標変速比、目標エンジントルクに基づいて無段変速機１２の変速比、及びエンジン１の出力が制御される。
【００３０】
次に、目標駆動力設定部３０について図５を用いて詳しく説明する。図５は、目標駆動力設定部３０の制御ブロック図である。
【００３１】
アップシフト判定部４０は、目標エンジン回転速度と、予め設定されたアップシフト判定値とに基づいてアップシフト判定フラグを出力する。アップシフト判定部４０は、目標エンジン回転速度がアップシフト判定値になった時に、アップシフト判定フラグとして「１」を出力し、それ以外の場合にはアップシフト判定フラグとして「０」を出力する。アップシフト判定値は、予め設定されており、図４に示す最適燃費線に沿って、燃費の良い領域でアップシフトが行われ、車両が走行するように設定されている。例えば、最適燃費線の中でも、特に燃費の良い領域を選択し、選択した領域を使用して車両が走行するようにアップシフト判定値を設定することで、エンジン１を燃費の良い領域で使用することができる。目標エンジン回転速度がアップシフト判定値となる度にアップシフト判定フラグは、「１」となり、その後は再び「０」となる。なお、アップシフト判定値はアクセル開度に基づいて設定されている。これにより、アクセル開度に応じてアップシフトが行われるタイミングを設定することができる。
【００３２】
車速更新判定部４１は、アップシフト判定部４０によって出力されたアップシフト判定フラグを反転させて車速更新判定フラグを出力する。車速更新判定フラグは、アップシフト判定フラグが「０」の場合には「１」であり、アップシフト判定フラグが「１」の場合には「０」である。
【００３３】
加速要求判定部４２は、アクセル開度センサ２２によって検出されたアクセル開度に基づいて運転者による加速要求を判定する。具体的には、加速要求判定部４２は、単位時間あたりのアクセル開度の増加量が第１所定増加量以上の場合には加速要求がされていると判定し、加速要求判定フラグとして「１」を出力する。加速要求判定部４２は、単位時間あたりのアクセル開度の増加量が第１所定増加量よりも小さい場合には加速要求がされていないと判定し、加速要求判定フラグとして「０」を出力する。加速要求判定部４２は、加速要求フラグを「１」とした後は、単位時間あたりのアクセル開度の増加量が、第２所定増加量よりも小さくなった場合に加速要求フラグを「０」に変更する。第２所定増加量は、第１所定増加量よりも小さい値であり、例えば負の値である。
【００３４】
加速要求判定フラグが「０」の場合には、リニア変速モードではない通常変速モードが選択され、加速要求判定フラグが「１」の場合には、リニア変速モードが選択される。
【００３５】
車速選択部４３は、加速要求判定フラグと車速更新判定フラグとに基づいて車速を選択する。車速選択部４３は、加速要求判定フラグが「０」から「１」に変更された時には、加速要求判定フラグが変更された時に車速センサ２６によって検出された車速を選択する。その後、車速選択部４３は、加速要求判定フラグが「１」であり、車速更新判定フラグが「１」の場合には、加速要求判定フラグが変更された時の車速を保持する。
【００３６】
車速選択部４３は、加速要求判定フラグが「１」であり、車速更新判定フラグが「１」から「０」に変更された時に、保持している車速を、車速更新判定フラグが変更された時に車速センサ２６によって検出された車速に更新する。その後、車速選択部４３は、加速要求判定フラグが「１」であり、車速更新判定フラグが「１」の場合には、更新された車速を保持する。このように、車速選択部４３は、加速要求判定フラグが「１」である場合には、車速更新判定フラグが「１」から「０」に変更される度に、車速を更新し、その後は更新した車速を保持する。
【００３７】
車速選択部４３は、加速要求判定フラグが「０」の場合には、車速センサ２６によって検出された現在の車速を選択する。
【００３８】
アクセル開度補正部４４は、アクセル開度センサ２２によって検出されたアクセル開度をマップに基づいて補正する。補正されたアクセル開度は、補正される前のアクセル開度よりも小さくなる。
【００３９】
アクセル開度選択部４５は、加速要求判定フラグに基づいてアクセル開度を選択する。アクセル開度選択部４５は、加速要求判定フラグが「０」から「１」に変更されてから車速更新判定フラグが初めて「１」から「０」に変更されるまでは、補正されたアクセル開度を選択し、これ以外の場合にはアクセル開度センサ２２によって検出され、補正されていないアクセル開度を選択する。
【００４０】
第１目標駆動力設定部４６は、車速選択部４３によって選択した車速と、アクセル開度選択部４５によって選択したアクセル開度とに基づいて、マップから第１目標駆動力を設定する。
【００４１】
加速要求判定フラグが「０」から「１」に変更されてから初めて車速更新判定フラグが「１」から「０」に変更されるまでは、アクセル開度選択部４５によって選択されるアクセル開度は補正されたアクセル開度である。そのため、補正されていないアクセル開度基づいて設定される第１目標駆動力よりも第１目標駆動力が小さくなる。第１目標駆動力と車速とを乗算した目標出力に基づいて算出される目標エンジン回転速度がアップシフト判定値となると、アップシフト判定フラグが「０」から「１」に変更され、加速要求がされてから最初のアップシフトが行われる。この最初のアップシフトが行われるまでは、補正されたアクセル開度を用いて第１目標駆動力を設定することで、補正されていないアクセル開度を用いた場合と比較して、目標エンジン回転速度が低くなり、最初のアップシフトが行われるタイミングを遅らせることができ、最初のアップシフトが行われるまでの加速感を演出することができる。
【００４２】
最終アップシフト出力設定部４７について、図６を用いて詳しく説明する。図６は最終アップシフト出力設定部４７の制御ブロック図である。
【００４３】
アップシフトエンジン回転速度設定部６０は、アクセル開度センサ２２によって検出されたアクセル開度に基づいてマップからリニア変速モードにおけるアップシフト先のエンジン回転速度であるアップシフトエンジン回転速度を設定する。アクセル開度が大きくなると、アップシフトエンジン回転速度は高くなる。
【００４４】
アップシフト出力設定部６１は、アップシフトエンジン回転速度に基づいてマップからアップシフト出力を設定する。アップシフト出力は、図４の最適燃費線に沿って、燃費の良い領域でアップシフトが行われ、車両が走行するように設定されている。例えば、最適燃費線の中でも、特に燃費の良い領域を選択し、選択した領域を使用して車両が走行するようにアップシフト出力を設定することで、エンジン１を燃費の良い領域で使用することができる。アップシフトエンジン回転速度が高くなると、アップシフト出力は大きくなる。
【００４５】
第２補正部６２は、アップシフト出力をＳＯＣ補正量によって補正し、最終アップシフト出力を設定する。具体的には、第２補正部６２は、アップシフト出力からＳＯＣ補正量を減算する。ＳＯＣ補正量は、第１補正部３２によって目標出力を補正するＳＯＣ補正量と同じである。つまり、第２補正部６２では、第１補正部３２による補正をキャンセルするようにアップシフト出力を補正する。これにより、第１補正部３２によって補正が行われても、実質的にはＳＯＣによる基づく補正が行われないことになる。
【００４６】
図５に戻り、第２目標駆動力設定部４８は、最終アップシフト出力を車速選択部４３によって選択された車速で除算することで、第２目標駆動力を設定する。加速要求判定フラグが「１」であり、車速更新判定フラグが「１」の場合には、車速が保持されているので、第２目標駆動力は、保持された車速と最終アップシフト出力とに基づいて設定される。また、加速要求判定フラグが「１」であり、車速更新判定フラグが「１」から「０」に変更された時に、車速が更新されるので、第２目標駆動力は、更新された車速と最終アップシフト出力とに基づいて設定され、車速の更新前後でステップ的に減少する。
【００４７】
加速要求反転部４９は、加速要求判定フラグを反転して出力する。加速要求反転部４９は、加速要求判定部４２から出力された加速要求判定フラグが「０」の場合には、加速要求判定フラグを「１」にし、加速要求判定部４２から出力された加速要求フラグが「１」の場合には、加速要求判定フラグを「０」にする。
【００４８】
第１目標駆動力切替フラグ出力部５０は、アップシフト判定フラグと、加速要求反転部４９によって反転した加速要求判定フラグとに基づいて切替フラグを出力する。第１目標駆動力切替フラグ出力部５０は、加速要求判定フラグが「０」（反転後は「１」）の場合には切替フラグとして「０」を出力する。第１目標駆動力切替フラグ出力部５０は、加速要求判定フラグが「０」（反転後は「１」）から「１」（反転後は「０」）に変更された場合であっても、加速要求判定フラグが「１」（反転後は「０」）に変更されてからアップシフト判定フラグが初めて「０」から「１」に変更されるまでは、切替フラグとして「０」を出力する。第１目標駆動力切替フラグ出力部５０は、加速要求判定フラグが「１」（反転後は「０」）の場合に、アップシフト判定フラグが「０」から「１」に変更されると、変更の度に切替フラグとして「１」を出力する。第１目標駆動力切替フラグ出力部５０は、加速要求判定フラグが「１」（反転後は「０」）から「０」（反転後は「１」）に変更されると、切替フラグを「１」から「０」に変更する。
【００４９】
第２目標駆動力切替フラグ出力部５１は、加速要求判定フラグと切替フラグとに基づいて駆動力選択フラグを出力する。第２目標駆動力切替フラグ出力部５１は、加速要求判定フラグが「０」の場合には、駆動力選択フラグとして「１」を出力する。第２目標駆動力切替フラグ出力部５１は、加速要求判定フラグが「１」の場合には、切替フラグが「０」から「１」に変更された時に駆動力選択フラグとして「０」を出力し、これ以外の場合は駆動力選択フラグとして「１」を出力する。
【００５０】
目標駆動力選択部５２は、駆動力選択フラグに基づいて、目標駆動力基準値を選択する。目標駆動力選択部５２は、駆動力選択フラグが「１」の場合には、第１目標駆動力設定部４６によって設定された第１目標駆動力を目標駆動力基準値として選択する。目標駆動力選択部５２は、駆動力選択フラグが「０」の場合には、第２目標駆動力設定部４８によって設定された第２目標駆動力を目標駆動力基準値として選択する。
【００５１】
目標駆動力選択部５２は、加速要求判定フラグが「１」の場合に、アップシフト判定フラグが「１」に変更された時に、第２目標駆動力を駆動力基準値として設定する。目標駆動力選択部５２は、加速要求判定フラグが「１」の場合であっても、アップシフト判定フラグが「１」に変更された時以外は、第１目標駆動力を目標駆動力基準値として設定する。
【００５２】
目標駆動力補正値設定部５３は、車速センサ２６によって検出された車速と、アクセル開度とに基づいてマップから目標駆動力補正値を設定する。目標駆動力補正値は、車速が高くなると大きくなり、アクセル開度が大きくなると大きくなる。目標駆動力補正値は、車両の走行抵抗が大きくなると、大きくなるように設定されている。そのため、走行抵抗が大きくなる運転状態においても、補正値で目標駆動力基準値を補正することで十分な加速性を得ることができる。
【００５３】
目標駆動力補正選択部５４は、加速要求判定フラグに基づいて最終目標駆動力補正値を選択する。目標駆動力補正選択部５４は、加速要求判定フラグが「０」の場合には、ゼロを最終目標駆動力補正値として選択する。目標駆動力補正選択部５４は、加速要求判定フラグが「１」の場合には、目標駆動力補正値を最終目標駆動力補正値として選択する。
【００５４】
最終目標駆動力設定部５５は、目標駆動力基準値と最終目標駆動力補正値とを加算して目標駆動力を設定する。加速要求判定フラグが「０」の場合には、最終目標駆動力補正値はゼロなので、目標駆動力基準値が目標駆動力となる。
【００５５】
以上のようにして目標駆動力設定部３０は目標駆動力を設定する。
【００５６】
本実施形態では、加速要求判定フラグが「０」の場合には、通常変速モードが選択され、車速選択部４３によって現在の車速が選択され、現在の車速に基づいた第１目標駆動力が基準目標駆動力として選択される。そして、第１補正部３２によってＳＯＣに基づく補正が行われた最終目標出力が設定され、最終目標出力に基づいて目標変速比、及び目標エンジントルクが設定され、無段変速機１２、及びエンジン１が制御される。そのため、エンジン１によって発電機８を駆動させた場合でも、車両を目標駆動力に応じた駆動力で走行させることができる。
【００５７】
一方、加速要求判定フラグが「１」の場合には、リニア変速モードが選択され、アップシフト判定フラグが「１」（車速更新判定フラグが「０」）となるまでは、車速選択部４３によって保持された車速が選択され、保持された車速に基づいた第１目標駆動力が目標駆動力基準値として選択される。そして、アップシフト判定フラグが「１」になった時に、車速選択部４３によって保持された車速が更新されるとともに、更新された車速に基づいた第２目標駆動力が目標駆動力基準値として選択される。第２目標駆動力は、第１補正部３２による補正をキャンセルする補正が第２補正部６２によって行われて設定されている。そのため、その後、第１補正部３２によってＳＯＣに基づく補正が行われても、結果的にＳＯＣに基づく補正が行われないことになる。従って、リニア変速モードのアップシフト時には、ＳＯＣに関係なく最終目標出力が設定され、最終目標出力に基づいて目標変速比、及び目標エンジントルクが設定され、エンジン１、及び無段変速機１２が制御される。これにより、リニア変速モードにおいて疑似有段変速が実行され、アップシフト時のエンジン回転速度がアップシフトエンジン回転速度に一致する。
【００５８】
リニア変速モードのアップシフト時に第２補正部６２によって第１補正部３２による補正をキャンセルする補正を行わない場合には、図７に示すように、第１補正部３２による補正が行われることでエンジン回転速度が、アップシフトエンジン回転速度からずれる場合がある。図７では、第２補正部６２によって第１補正部３２による補正をキャンセルした場合を実線で示し、第２補正部６２によって第１補正部３２による補正をキャンセルしない場合を破線、及び一点鎖線で示す。図７では、第１補正部３２におけるＳＯＣ補正量が正の場合を破線で示し、ＳＯＣ補正量が負の場合を一点鎖線で示す。第２補正部６２によって第１補正部３２による補正をキャンセルしない場合には、リニア変速モードのアップシフト時のエンジン回転速度がＳＯＣ補正量に応じて変更される。本実施形態では、第２補正部６２によって第１補正部３２による補正をキャンセルすることで、リニア変速モードのアップシフト時のエンジン回転速度はＳＯＣによらず一定となる。
【００５９】
次に本実施形態の効果について説明する。
【００６０】
リニア変速モードでは、エンジン回転速度の増加と、アップシフトとが繰り返し行われることで、リズム感のよい加速を実現している。そのため、アップシフト時に所定のエンジン回転速度の変化からずれた変化が生じると、加速不足や、リズム感が崩れ、運転者に違和感を与える。
【００６１】
本実施形態では、通常変速モードの場合には、ＳＯＣに基づいて目標エンジン回転速度を補正し、リニア変速モードの場合には、ＳＯＣに基づいて目標エンジン回転速度を補正しない。これにより、リニア変速モードのアップシフト時のエンジン回転速度はＳＯＣによって変更されず、リニア変速モードのアップシフト時のエンジン回転速度の変化も一定となる。従って、運転者に違和感を与えることを抑制することができる。
【００６２】
リニア変速モードと通常変速モードとを運転者の加速要求に応じて切り替えられる。運転者の加速要求がない、または小さい通常変速モードでは、ＳＯＣによらず車両に発生する駆動力は目標駆動力となる。また、運転者の加速要求が大きいリニア変速モードでは、リズム感のよい加速を実現することができる。
【００６３】
リニア変速モードのアップシフト時にアップシフトエンジン回転速度を設定し、アップシフトエンジン回転速度に基づいてアップシフト出力を設定する。また、ＳＯＣに基づく補正をキャンセルする補正をアップシフト出力に行う。これにより、その後、ＳＯＣに基づく補正が行われても、目標エンジン回転速度がアップシフトエンジン回転速度からずれることがない。そのため、リニア変速モードのアップシフト時に運転者に違和感を与えることを抑制することができる。
【００６４】
リニア変速モードにおいて、ステップ的に目標駆動力を低減する際に、ＳＯＣに基づく補正をキャンセルする補正を行ったアップシフト出力に基づいて、目標駆動力を設定する。これにより、特に運転者に違和感を与えやすいアップシフト時において、運転者に違和感を与えることを抑制することができる。
【００６５】
以上、本発明の実施形態について説明したが、上記実施形態は本発明の適用例の一部を示したに過ぎず、本発明の技術的範囲を上記実施形態の具体的構成に限定する趣旨ではない。
【００６６】
上記した無段変速機１２はハイブリッド車両に搭載してもよく、モータが駆動源として機能しても良い。
【００６７】
上記実施形態では、第１補正部３２において目標出力に対して補正を行い、第２補正部６２においてアップシフト出力に対して第１補正部３２における補正をキャンセルする補正を行ったが、これに限られることはない。通常変速モードにおいてＳＯＣに基づいて目標エンジン回転速度を補正し、リニア変速モードにおいてＳＯＣに基づいて目標エンジン回転速度が補正されないようにできればよい。
【００６８】
また、第１目標駆動力切替フラグ出力部５０において、切替フラグとして「１」を出力した後は、加速要求判定フラグが「１」（反転後は「０」）から「０」（反転後は「１」）に切り替えられるまで切替フラグを「１」とし、加速要求判定フラグが「１」（反転後は「０」）から「０」（反転後は「１」）に切り替えられた時に、切替フラグを「１」から「０」に変更してもよい。また、加速要求判定フラグに基づいて第１補正部３２による補正を行うかどうか選択する選択部を設け、加速要求判定フラグが「０」の場合に第１補正部３２による補正を行い、加速要求判定フラグが「１」の場合に第１補正部３２による補正を行わないようにしてもよい。これらによっても、リニア変速モード時にＳＯＣに基づく補正が行われないようにすることができる。
【図１】
2016013124.tif 000003
【図２】
2016013124.tif 000004
【図３】
2016013124.tif 000005
【図４】
2016013124.tif 000006
【図５】
2016013124.tif 000007
【図６】
2016013124.tif 000008
【図７】
2016013124.tif 000009
【国際調査報告】
2016013124.tif 000010
2016013124.tif 000011
2016013124.tif 000012
2016013124.tif 000013